(57)【特許請求の範囲】
【請求項１】
金属板を折曲して形成された接点端子の上辺部内側面にプリント基板を当接し、該プリント基板の所定個所に配設されたランドに該接続端子の前記上辺部をはんだ付け固定して成るプリント基板に於ける接点端子の取付機構であって、上記接点端子の縦辺部の内側面に突部を設け、該突部と接点端子の前記上辺部内側面との間に該プリント基板の一側部を嵌挿し、該プリント基板に配設されたランドに該接点端子の前記上辺部をはんだ付け固定したプリント基板に於ける接点端子の取付機構において、
前記突部は、上記縦辺部に、正面視で、該突部の左右側縁及び底辺に対応した切り欠き部を設け、該切り欠き部の左右上端部間の非切り欠き部を介して内側上方に折曲げて形成して成ることを特徴とするプリント基板に於ける接点端子の取付機構。
【発明の詳細な説明】
【０００１】
【発明の属する技術分野】
本発明はプリント基板に於ける接点端子の取付機構に関するものであり、特に、金属板を略７字形に折曲して形成され接点端子をプリント基板に的確に組み付けることができるように構成されたプリント基板に於ける接点端子の取付機構に関するものである。
【０００２】
【従来の技術】
従来の此種プリント基板に於ける接点端子の取付機構を図６及び図７に従って説明する。図に於いて１は接点端子であり、２はプリント基板を示す。該接点端子１は帯状のニッケル板等の金属板で形成され、且つ、略７字形を呈するように折曲されて成る。従って、図６に示すように、上辺部１ａと縦辺部１ｂは略同一長さに形成され、且つ、下辺部１ｃは之等上辺部１ａ及び縦辺部１ｂに比し、２倍乃至３倍程度の長さに形成され、そして、二次電池保護回路ケース（図示せず）の外側に露出されて負荷や充電器に接続される。
【０００３】
又、前記プリント基板２は二次電池保護回路の回路基板であり、種々の電子部品が搭載されている。
【０００４】
而して、前記接点端子１は該プリント基板２に組み付けられるとき、該プリント基板２の一側部位を該接点端子１の前記上辺部１ａ内側面に当接させ、そして、該プリント基板２の一側部に該接点端子幅よりも幅広に配設されているランド（図示せず）に該接点端子１の前記上辺部１ａをはんだ付け固定するのである。
該はんだ付けは図６に於いて、該上辺部１ａの上面からハンダＭを盛り込んで行われる。
【０００５】
【発明が解決しようとする課題】
上記従来例は、プリント基板２に接点端子１を組み付けるとき、該接点端子１の上辺部１ａの上面からハンダＭを盛り込み、そして、該接点端子１の上辺部１ａをプリント基板２に設けられているランドにはんだ付け固定するのであるが、このとき、該プリント基板２の一端部が図７に示すように矢印Ｘの方向へ回動して該プリント基板２が傾動すると云う問題が生じていた。
【０００６】
そこで、接点端子をプリント基板にはんだ付けにて組み付けるとき、該プリント基板の一端部が浮き上がることなく的確に該接点端子をプリント基板に組み付けて二次電池保護回路基板の品質を向上させるために解決せられるべき技術的課題が生じてくるのであり、本発明は該課題を解決することを目的とする。
【０００７】
【課題を解決するための手段】
本発明は上記目的を達成するために提案せられたものであり、金属板を折曲して形成された接点端子の上辺部内側面にプリント基板を当接し、該プリント基板の所定個所に配設されたランドに該接続端子の前記上辺部をはんだ付け固定して成るプリント基板に於ける接点端子の取付機構であって、上記接点端子の縦辺部の内側面に突部を設け、該突部と接点端子の前記上辺部内側面との間に該プリント基板の一側部を嵌挿し、該プリント基板に配設されたランドに該接点端子の前記上辺部をはんだ付け固定したプリント基板に於ける接点端子の取付機構において、
前記突部は、上記縦辺部に、正面視で、該突部の左右側縁及び底辺に対応した切り欠き部を設け、該切り欠き部の左右上端部間の非切り欠き部を介して内側上方に折曲げて形成して成るプリント基板に於ける接点端子の取付機構を提供するものである。
【０００８】
【発明の実施の形態】
以下、本発明と密接に関連する技術の形態を図１乃至図４に従って詳述する。尚、従来例で用いた接点端子１とプリント基板２は同一符号を用いるものとする。
【０００９】
図１はプリント基板２に４個の接点端子１，１，１，１を組み付けた状態を示す裏面から見た斜視図である。図２は前記接点端子１，１，１，１をプリント基板２に組み付けた状態を示す表面から見た一部切欠斜視図である。
【００１０】
図に示すように、各接点端子１はニッケル板等の金属板を略７字形に折曲して形成されており、従って、従来例と同様に上辺部１ａ、縦辺部１ｂ及び下辺部１ｃとから成る。而して、該下辺部１ｃは上辺部１ａ及び縦辺部１ｂの略２倍乃至３倍の長さに形成され、そして、前記プリント基板２に組み付けられた後、該下辺部１ｃを二次電池保護回路ケース（図示せず）の外側に露出させ、負荷や充電器等に接続される。
【００１１】
而して、該接点端子１，１，１，１はプリント基板２の所定個所に並列に組み付けられる。この組み付けに際しては、プリント基板２の一側部の所定個所に夫々ランド（図示せず）が配設されており、該ランド上に該接点端子１，１，１，１の夫々の上辺部１ａ，１ａ，１ａ，１ａを当接して従来例と同様に、該接点端子１，１，１，１の各上辺部１ａ，１ａ，１ａ，１ａの上面から例えばクリームハンダＭを盛り込み、そして、該上辺部１ａ，１ａ，１ａ，１ａを夫々対応するランド上にはんだ付け固定して夫々の接点端子１，１，１，１を該プリント基板２に組み付ける。
【００１２】
而して、本発明に於いては、前記接点端子１の縦辺部１ｂ内側面に前記上辺部１ａと平行に突部３が設けられている。該突部３と該上辺部１ａとの間隔はプリント基板２の厚みより僅かに小さく形成するを可とする。然るときは、該プリント基板２が前記上辺部１ａの裏面と該突部３との間に係止されて静置する。従って、前述のはんだ付けに際して、該ハンダが該上辺部１ａに設けられている小孔１ｄを介してプリント基板２のランド上に流入し、該上辺部１ａをプリント基板２のランドにはんだ付け固定するとき、該突部３によって該接点端子１の一端部と該プリント基板２とが位置決め固定されるため、従来例のように、プリント基板２の一端部が浮き上って傾動するようなことはなくなり、斯くして、該接点端子１，１，１，１はプリント基板２の夫々の所定個所に的確に組み付けられることができる。
【００１３】
又、本発明の他の実施の形態を図４に従って説明する。同図に示す接点端子１０には図３に示す前記突部３に相当する突部１１が設けられている。該突部１１は該接点端子１０の縦辺部１０ｂを二折し、そして、上辺部１０ａとの間に前述したような所定間隔を有するようにして形成される。然るときは、該突部１１の形成によって図３に示す突部３と全く同一の作用効果を奏すると共に、該突部１１の形成も容易となる。
【００１４】
本発明の実施の形態を図５（ａ）及び（ｂ）に従って説明する。同図に示す接点端子２０には、図３及び図４に示す突部３及び１１に相当する突部２１が設けられている。該突部２１は、図５（ａ）に示すように該接点端子２０の縦辺部２０ｂに、正面視で、該突部２１の左右側縁及び底辺に対応した切り欠き部２２を設け、該切り欠き部２２の左右上端部間の非切り欠き部２３を介して同図（ｂ）に於いて右方向（内側上方）へ折曲して形成される。勿論、該突部２１は該接点端子２０の上辺部２０ａに対して前述の所定間隔を有し、且つ、上辺部２０ａに対して平行に突設されている。依って、この実施の形態に於いても、前述の突部３及び１１と全く同一の作用効果を奏すると共に該突部の形成も又容易となる。
【００１５】
尚、図１及び図２に於いて、符号４及び５は前記プリント基板２の前後にはんだ付け固定されているニッケル端子を示し、該ニッケル端子に電池（図示せず）を溶接等の手段によって接続される。
【００１６】
又、本発明は、本発明の精神を逸脱しない限り種々の改変を為すことができ、そして、本発明が該改変されたものに及ぶことは当然である。
【００１７】
【発明の効果】
この発明は上記実施の形態にて詳述したように、接点端子の縦辺部内側面に該接点端子の上辺部と平行且つ、プリント基板を固定し得る程度の所定間隔を有して突部を設けているので、該プリント基板を該突部と接点端子の上辺部内側面との間に当接して該接点端子を該プリント基板に設けたランドにはんだ付け固定するとき、従来のように該ハンダによってプリント基板の一側部が浮き上がって該プリント基板が傾動するようなことはなくなる。
また、前記突部は、上記縦辺部に、正面視で、該突部の左右側縁及び底辺に対応した切り欠き部を設け、該切り欠き部の左右上端部間の非切り欠き部を介して右側上方に折曲げて形成したので、該突部の形成に当たり、上記縦辺部に設けた切り欠きを刻設し、その切り欠き部を内側上方に折曲げるだけで容易に形成することができ便宜であると共に、材料の有効利用に資する。
斯くして、上記接点端子の上辺部と上記突部間に該プリント基板の一側部を嵌挿され、的確に組み付けられることができ、且つ、はんだ固定部を剥離させる方向の付加に対する応力も増大する。
従って、突部の形成が容易にして簡易な構成をもって、接点端子をプリント基板に強力にはんだ付け固定することができると共に、二次電池保護回路のプリント基板としての品質を向上させることができる等、正に諸種の著大なる効果を奏する発明である。
【図面の簡単な説明】
【図１】本発明の一実施の形態を示し、プリント基板に接点端子を組み付けた状態を裏面から見た斜視図。
【図２】図１のプリント基板を表面から見た一部切欠斜視図。
【図３】図１に示すプリント基板に接点端子を組み付けている状態を示す縦断側面図。
【図４】本発明の他の実施の形態を示し、プリント基板を接点端子の内側面に嵌挿している状態を現わす縦断側面図。
【図５】（ａ）本発明の更に他の実施の形態を示し、プリント基板を接点端子の内側面に嵌挿している状態を現わす正面図。
（ｂ）同（ａ）のＡ−Ａ線断面図。
【図６】従来のプリント基板を接点端子の内側面に嵌挿している状態を現わす縦断側面図。
【図７】図６の状態からプリント基板が傾動している状態を示す縦断側面図。
【符号の説明】
１，１０，２０          接点端子
２                      プリント基板
３，１１，２１          突部
２２ 切り欠き部
Ｍ                      ハンダ
【図１】
0004576688.tif 000002
【図２】
0004576688.tif 000003
【図３】
0004576688.tif 000004
【図４】
0004576688.tif 000005
【図５】
0004576688.tif 000006
【図６】
0004576688.tif 000007
【図７】
0004576688.tif 000008